(57)【要約】  【課題】  ２以上の収納ユニットの連結パターンに応じた適切な箇所に締結具を挿着させる連結孔を形成でき、不要な連結孔の存在による据え付け後の２以上の収納ユニット全体としての美的外観の低下を防ぐことができる可搬式収納家具を提供すること。  【解決手段】  連結孔１４は、２以上の収納ユニット２，２を相互に連結させるための締結具の一種であるボルトナットが挿着される貫通孔である。連結孔１４を穿設する場合には、側板４、側板５又は背板６に予め凹設されている穿設用凹部１１の内径と略等しい外径のドリルＤＲが任意の穿設用凹部１１内へ向けて挿入される。かかるドリルＤＲが回転されると、穿設用凹部１１の底部が切削されて貫通加工が施される。そして、この貫通加工によって穿設用凹部１１が貫通すると、連結孔１４が形成されるのである。【選択図】        図４
2006167365.tif 000002
【特許請求の範囲】
【請求項１】
上面に設けられる天板、下面に設けられる地板、両側面に設けられる側板、及び、背面に設けられる背板の板材によって囲まれた収容空間を内部に有する少なくとも２以上の収納ユニットと、
その２以上の収納ユニットを連結させる締結具が挿着される連結孔を穿設するため、前記側板および背板の幅方向各端部ごとに、前記側板および背板の内面の上側位置から下側位置にかけて上下方向略一列状に並ぶように予め凹設される複数の穿設用凹部とを備えており、
前記２以上の収納ユニットが互いに連結されて据付場所に設置される場合、
その２以上の収納ユニットの隣り合う板材同士が相互に密接され、
その相互密接される板材同士の密接する部分に存在する前記穿設用凹部に貫通加工が施されて前記連結孔が穿設されることによって、１の収納ユニットの板材おける前記連結孔と他の収納ユニットの板材における前記連結孔とが互いに連通され、
その互いに連通する連結孔に締結具が挿着されることによって、前記２以上の収納ユニットが連結されるものであることを特徴とする可搬式収納家具。
【請求項２】
前記２以上の収納ユニットとは別体に形成され、前記側板又は背板に対して着脱可能に形成され、その側板又は背板に取着される場合にはその側板又は背板の外面から突出され且つ前記収納ユニットの上下方向に連設される側部受材と、
その側部受材に締結具を挿着させるため、前記側板又は背板の上下方向略一列状に並ぶ前記複数の穿設用凹部に対応つけて、その側部受材に貫通形成される挿着孔と、
その挿着孔に対して締結具が挿着されて前記側部受材が前記側板又は背板に取着される場合に、前記側板又は背板の外面から前記収納ユニットの据付場所の壁面へ向けて延設されるようにして前記側部受材に着接されて、据付場所の壁面と前記側板又は背板との間に生じる空隙に掩覆されるフィラー部材と、
そのフィラー部材が前記側部受材に着接される場合に据付場所の壁面に当接されることにより弾性変形されてその壁面に密着されるように前記フィラー部材の先端部に設けられるパッキン部材とを備えていることを特徴とする請求項１記載の可搬式収納家具。
【請求項３】
据付場所の天井面へ向けて突出するように前記天板上面に立設される上部受材と、
その上部受材と据付場所の天井面との間の空隙を掩覆するため、その空隙より板幅が大きく且つ前記天板上面から天井面までの幅より板幅が小さく形成され、自らの上端面が据付場所の天井面に当接される状態で前記上部受材の外面に着接される主幕板と、
その主幕板下端面と前記天板上面との間から露出する前記上部受材を掩覆させるため、その露出部分より板幅が大きく、前記上部受材の突出長さより板幅が小さく、及び、前記主幕板より板幅が小さく形成され、自らの下端面が前記天板上面に当接される状態で前記主幕板の外面に着接される副幕板とを備えていることを特徴とする請求項１又は２に記載の可搬式収納家具。
【請求項４】
前記主幕板は、前記２以上の収納ユニットが連結される場合に、その各収納ユニットごとの前記上部受材の外面にそれぞれ跨って着接され、
前記副幕板は、前記２以上の収納ユニットが連結される場合に、これら２以上の収納ユニットの各天板上面と前記主幕板との間から露出する部分をまとめて掩覆するように、その主幕板に着接されることを特徴とする請求項１から３のいずれかに記載の可搬式収納家具。
【発明の詳細な説明】
【技術分野】
【０００１】
本発明は、既設の建物内に据え付け可能でかつ移設可能であって、据え付け後は建物に造り付けられた収納家具のような様相を呈する２以上の収納ユニットが連結された可搬式収納家具に関するものである。
【背景技術】
【０００２】
収納家具には、建物の室内空間を仕切ったり又は壁面に設置されるなどして建物と一体的な様相で建て付けられるものが存在する。このような収納家具には、建物に直に造り付けるタイプのものと、完成した建物に後付け的に据え付けるタイプのものとがある。前者の造り付けタイプの収納家具は、建て付け後の移設が困難であったり、据え付けタイプの収納家具に比べて高価となってしまう。
【０００３】
これに対して、据え付けタイプの収納家具にあっては、建物とは別体に形成された収納ユニットを並べて建物内に組立施工されるので、据え付け後の移設が容易である。例えば、実開昭５４−２９８２６号公報に記載されている収納家具によれば、複数の収納ユニットが相互に連結させて一つの収納家具を形作っている。
【０００４】
また、このように複数の収納ユニットを相互に連結させる収納家具では、隣り合う収納ユニット同士を順次並べて収納家具全体を建物内に組立施工する場合に、各収納ユニット間に間隙を生じることがあり、かかる間隙の発生を回避するため、各収納ユニット同士を連結するボルトナットが挿着される貫通孔を、収納ユニットの側板に予め穿設する必要がある。
【特許文献１】実開昭５４−２９８２６号公報
【発明の開示】
【発明が解決しようとする課題】
【０００５】
しかしながら、上記した各収納ユニットの連結パターンは収納家具が据え付けられる室内空間のレイアウトに応じて千差万別であるので、予め収納ユニットの側板に貫通孔を穿設してしまうと、そもそも他の収納ユニットが連結されない側面にも不要な貫通孔を穿設することとなって、かえって貫通孔の存在が収納家具の美的外観を損ねてしまうという問題点がある。
【０００６】
本発明は、上述した問題点を解決するためになされたものであり、２以上の収納ユニットの連結パターンに応じた適切な箇所に締結具を挿着させる連結孔を形成でき、不要な連結孔の存在による据え付け後の２以上の収納ユニット全体としての美的外観の低下を防ぐことができる可搬式収納家具を提供することを目的としている。
【課題を解決するための手段】
【０００７】
この目的を達成するために、請求項１記載の可搬式収納家具は、上面に設けられる天板、下面に設けられる地板、両側面に設けられる側板、及び、背面に設けられる背板の板材によって囲まれた収容空間を内部に有する少なくとも２以上の収納ユニットと、その２以上の収納ユニットを連結させる締結具が挿着される連結孔を穿設するため、前記側板および背板の幅方向各端部ごとに、前記側板および背板の内面の上側位置から下側位置にかけて上下方向略一列状に並ぶように予め凹設される複数の穿設用凹部とを備えており、前記２以上の収納ユニットが互いに連結されて据付場所に設置される場合、その２以上の収納ユニットの隣り合う板材同士が相互に密接され、その相互密接される板材同士の密接する部分に存在する前記穿設用凹部に貫通加工が施されて前記連結孔が穿設されることによって、１の収納ユニットの板材おける前記連結孔と他の収納ユニットの板材における前記連結孔とが互いに連通され、その互いに連通する連結孔に締結具が挿着されることによって、前記２以上の収納ユニットが連結されるものである。
【発明の効果】
【０００８】
請求項１記載の可搬式収納家具によれば、２以上の収納ユニットが据付場所に設置される場合における各収納ユニット同士の連結パターンに応じて、その２以上の収納ユニットを連結させるのに必要な穿設用凹部を貫通させて連結孔を穿設することができるという効果がある。従って、２以上の収納ユニットには不要な連結孔が予め穿設されずに済むので、据え付け後の２以上の収納ユニット全体としての美的外観を損なわずに済むという効果がある。
【０００９】
また、締結具を挿着させる連結孔が穿設可能な箇所には、複数の穿設用凹部が側板および背板に予め凹設されているので、収納ユニットの据付時に作業者が不適当な連結孔を無闇に穿孔させてしまう不具合も防止でき、連結孔の貫通加工のための目印および下穴として穿設用凹部を利用でき、見た目にも綺麗な連結孔を穿設できるという効果がある。
【００１０】
請求項２記載の可搬式収納家具は、請求項１記載の可搬式収納家具において、前記２以上の収納ユニットとは別体に形成され、前記側板又は背板に対して着脱可能に形成され、その側板又は背板に取着される場合にはその側板又は背板の外面から突出され且つ前記収納ユニットの上下方向に連設される側部受材と、その側部受材に締結具を挿着させるため、前記側板又は背板の上下方向略一列状に並ぶ前記複数の穿設用凹部に対応つけて、その側部受材に貫通形成される挿着孔と、その挿着孔に対して締結具が挿着されて前記側部受材が前記側板又は背板に取着される場合に、前記側板又は背板の外面から前記収納ユニットの据付場所の壁面へ向けて延設されるようにして前記側部受材に着接されて、据付場所の壁面と前記側板又は背板との間に生じる空隙に掩覆されるフィラー部材と、そのフィラー部材が前記側部受材に着接される場合に据付場所の壁面に当接されることにより弾性変形されてその壁面に密着されるように前記フィラー部材の先端部に設けられるパッキン部材とを備えている。
【００１１】
請求項２記載の可搬式収納家具によれば、請求項１又は２に記載の可搬式収納家具の奏する効果に加え、フィラー部材は、収納ユニットが据え付けられる据付場所の壁面と収納ユニットの側板又は背板との間に生じる空隙を掩覆するので、本可搬式収納家具を据付場所に造り付けられた家具のように装わせることができるという効果がある。
【００１２】
また、フィラー部材が着接される側部受材は、自らに貫通形成される挿着孔が収納ユニットの穿設用凹部を貫通加工させた連結孔と連通され、互いに連通する連結孔と挿着孔とに締結具を挿着させることで、収納ユニットの側板又は背板に取着される。つまり、側部受材を収納ユニットに取着する場合には、２以上の収納ユニットを連結するための連結孔を流用できるという効果がある。
【００１３】
しかも、フィラー部材の先端部はパッキン部材を介して据付場所の壁面に当接されるので、かかる壁面の損傷を防止できるという効果がある。よって、例えば、収納ユニットを後々別の据付パターンで設置し直す場合に元の据付場所の壁面の損傷を補修する手間を省くことができる。また、パッキン部材が弾性変形されて据付場所の壁面に密着されるので、フィラー部材の先端部と据付場所の壁面との間に僅かな空隙が生じることも抑制できるという効果がある。
【００１４】
請求項３記載の可搬式収納家具は、請求項１又は２に記載の可搬式収納家具において、据付場所の天井面へ向けて突出するように前記天板上面に立設される上部受材と、その上部受材と据付場所の天井面との間の空隙を掩覆するため、その空隙より板幅が大きく且つ前記天板上面から天井面までの幅より板幅が小さく形成され、自らの上端面が据付場所の天井面に当接される状態で前記上部受材の外面に着接される主幕板と、その主幕板下端面と前記天板上面との間から露出する前記上部受材を掩覆させるため、その露出部分より板幅が大きく、前記上部受材の突出長さより板幅が小さく、及び、前記主幕板より板幅が小さく形成され、自らの下端面が前記天板上面に当接される状態で前記主幕板の外面に着接される副幕板とを備えている。
【００１５】
請求項３記載の可搬式収納家具によれば、請求項１又は２に記載の可搬式収納家具の奏する効果に加え、上部受材と据付場所の天井面との間の空隙は主幕板によって掩覆され、主幕板と収納ユニットの天板の上面との間から露出する部分は副幕板によって掩覆されるので、更に、本可搬式収納家具を据付場所に造り付けられた家具のように装わせることができるという効果がある。また、主幕板および副幕板を交互に重ね合わせることで、収納ユニットの天板上面と据付場所の天井面との間の空隙を掩覆するので、かかる空隙の寸法に合わせて幕板を裁断する必要もなく、作業を簡素化できるという効果もある。
【００１６】
請求項４記載の可搬式収納家具は、請求項１から３のいずれかに記載の可搬式収納家具において、前記主幕板は、前記２以上の収納ユニットが連結される場合に、その各収納ユニットごとの前記上部受材の外面にそれぞれ跨って着接され、前記副幕板は、前記２以上の収納ユニットが連結される場合に、これら２以上の収納ユニットの各天板上面と前記主幕板との間から露出する部分をまとめて掩覆するように、その主幕板に着接される。
【００１７】
請求項４記載の可搬式収納家具は、請求項１から３のいずれかに記載の可搬式収納家具の奏する効果に加え、２以上の収納ユニットが連結された場合、これらの全ての収納ユニットが据付場所の天井面との間に生じる空隙を、たった一組の主幕板および副幕板によってまとめて掩覆することができるという効果がある。このため、各収納ユニット毎に幕板が途切れることがないので、連結された２以上の収納ユニットに、その据付場所に一体的に造り付けられた造り付けの収納家具のような外観を付与できるという効果がある。
【発明を実施するための最良の形態】
【００１８】
以下、本発明の好ましい実施例について、添付図面を参照して説明する。図１は、本発明の可搬式収納家具の一実施例である組立収納家具１（図８参照）を構成する収納ユニット２，２の外観斜視図であって、図中では、収納ユニット２，２の前面に取り付けられる扉板の図示を省略している。
【００１９】
図１に示すように、収納ユニット２は、その上面に設けられる天板３と、その天板３の幅方向両端（図１左右両側）の下面に連設され収納ユニット２の左右両側面に設けられる左右一対の側板４，５と、その側板４，５の幅方向一端（図１奥側）に連設され収納ユニット２の背面に設けられる背板６と、その背板６及び側板４，５の下端部と連設され収納ユニット２の下面に設けられる地板７とを備えている。
【００２０】
これらの天板３、側板４，５、背板６及び地板７に囲まれることによって、収納ユニット２の内部には収納空間が形成されている。天板３の上面には、その天板３の四辺の縁端より若干内側位置から天板３の四辺と略平行に４枚の上部受材８が直上へ向けて突出するように立設されている。これら４枚の上部受材８は互いの幅方向両端部にて連設されており、上面視略ロ字形の枠状体９となるように組立てられている。
【００２１】
枠状体９の内周部分における四隅付近にはアジャスタ１０がそれぞれ配設されている。これら４基のアジャスタ１０は、それぞれ天板３の上面から直上方向に突出されており、各アジャスタ１０の上端部には回動自在な円盤１０ａ（図３参照）が設けられている。また、側板４の幅方向両端部にはそれぞれ３箇所ずつ穿設用凹部１１が、その側板４の上下方向に略一列状に並ぶようにして、側板４の上側と、中間と、下側とに順に凹設されている。
【００２２】
図２は、収納ユニット２の正面図であって、側板４，５における穿設用凹部１１の凹設箇所のみを部分的に断面視している。図２に示すように、背板６の幅方向両端部（図２の左右両側）にもそれぞれ３箇所ずつ穿設用凹部１１が、その背板６の上下方向に略一列状に並ぶようにして、背板６の上側と、中間と、下側とに順に凹設されている。
【００２３】
図３は、図２のＩＩＩ−ＩＩＩ線における断面図であって、図中では扉板１２が収納ユニット２の前面に取着された状態を図示している。図３に示すように、側板５の幅方向両端部（図３の左右両側）にもそれぞれ３箇所ずつ穿設用凹部１１が、その側板５の上下方向に略一列状に並ぶようにして、側板５の上側と、中間と、下側とに順に凹設されている。また、天板３には各アジャスタ１０の取付位置に天板３の板厚方向に貫通する貫通孔がそれぞれ形成され、この各貫通孔の内周には埋込ナット１３がそれぞれ嵌挿されている。
【００２４】
埋込ナット１３にはアジャスタ１０における軸状部である雄ねじ部１０ｂが螺嵌されており、この雄ねじ部１０ｂの下端にはねじ回し工具の刃先を係合可能なドライバー溝（図示せず）が凹設されている。このアジャスタ１０によれば、天板３の下方からアジャスタ１０の雄ねじ部１０ｂのドライバー溝にねじ回し工具の刃先を係合させて、アジャスタ１０の雄ねじ部１０ｂを回動させると、アジャスタ１０の円盤１０ａを上下動させて、天板１０ａを据付場所の天井面に圧接させることができる。
【００２５】
再び、図２に戻って説明すると、側板４，５及び背板６に凹設される合計１８個の穿設用凹部１１のうち、上側箇所の６個分は収納ユニット２下端から高さＨ１に、中間箇所の６個分は高さＨ２に、下側箇所の６個分は高さＨ３に、それぞれ凹設されている。この高さＨ１，Ｈ２，Ｈ３における収納ユニット２の横断面はいずれも同じ形状であって、後述する図４（ａ）に図示される。
【００２６】
図４（ａ）は、図２のＩＶ１−ＩＶ１線、ＩＶ２−ＩＶ２線およびＩＶ３−ＩＶ３線における横断面のいずれにも対応する断面図である。図４（ａ）に示すように、穿設用凹部１１は何れも側板４，５及び背板６に非貫通状態で凹設されている。ここで、穿設用凹部１１は連結孔１４を穿設するための箇所を示す目印となる非貫通状態の下穴であって、かかる穿設用凹部１１に貫通加工が施されると連結孔１４（図４（ｃ）参照）が形成されるのである。
【００２７】
図４（ｂ）及び図４（ｃ）は、図４（ａ）の部分的拡大図であって、連結孔１４を穿設（穿孔）する貫通加工について説明する図である。特に、図４（ｂ）は連結孔１４の穿設前を示す部分的拡大図であり、図４（ｃ）は連結孔１４の穿設後を示す部分的拡大図である。ここで、図４（ｃ）に示す連結孔１４は、２以上の収納ユニット２，２を相互に連結させるための締結具の一種であるボルトナットが挿着される貫通孔である。
【００２８】
このような連結孔１４を穿設する場合には、図４（ｂ）に示すように、側板４、側板５又は背板６に予め凹設されている穿設用凹部１１の内径と略等しい外径のドリルＤＲが任意の穿設用凹部１１内へ向けて挿入される。かかるドリルＤＲが回転されると、穿設用凹部１１の底部が切削されて貫通加工が施される。そして、この貫通加工によって穿設用凹部１１が貫通すると、図４（ｃ）に示すように連結孔１４が形成されるのである。
【００２９】
なお、連結孔１４は、組立収納家具１を据え付ける作業者が組立収納家具１の据付レイアウトに応じて事後的に加工するものである。つまり、組立収納家具１の各収納ユニット２にあっては全ての穿設用凹部１１が未貫通の状態のままで出荷されるものであり、連結孔１４の貫通加工は、建物の室内など組立収納家具１の据付現場や、各収納ユニット２の据え付けを請負った施工会社の工場などにおいて、収納ユニット２の製造工程とは異なる加工として行われる。
【００３０】
図５は、連結孔１４が穿設された３種類の収納ユニット２（以下「収納ユニット２Ａ、収納ユニット２Ｂ、収納ユニット２Ｃ」ともいう。）を並べた状態を示す横断面図である。また、図６（ａ）は、３種類の収納ユニット２Ａ，２Ｂ，２Ｃをボルトナット１５を介して連結させた状態を示す横断面図である。まず、図５に示すように、収納ユニット２Ａの側板５と収納ユニット２Ｂの側板４とは相互に密接され、これら収納ユニット２Ａ，２Ｂの背板６，６と収納ユニット２Ｃの背板６とは相互に密接されている。
【００３１】
ここで、収納ユニット２Ａの側板５における全６個の穿設用凹部１１および背板６における幅方向左側上下３個の穿設用凹部１１、収納ユニット２Ｂの側板４における全６個の穿設用凹部１１および背板６における幅方向右側上下３個の穿設用凹部１１、並びに、収納ユニット２Ｃの背板における全６個の穿設用凹部１１は、上記した貫通加工によって連結孔１４とされている。
【００３２】
そして、収納ユニット２Ａの側板５における合計６個の連通孔１４の各々は、収納ユニット２Ｂの側板４における連結孔１４と１個ずつ連通され、この収納ユニット２Ａ，２Ｂにおける背板６，６に穿設される合計６個の連通孔１４の各々は、収納ユニット２Ｃの背板６における連通孔１４と１個ずつ連通されている。
【００３３】
そして、図６（ａ）に示すように、収納ユニット２Ａ及び収納ユニット２Ｂにて互いに連通し合う２個一組の連結孔１４，１４にはそれぞれボルトナット１５が挿着され、これらのボルトナット１５を介して収納ユニット２Ａ，２Ｂが連結される。また、収納ユニット２Ａ，２Ｂ及び収納ユニット２Ｃにて互いに連通し合う２個一組の連通孔１４，１４にもボルトナット１５が挿着され、これらのボルトナット１５を介して収納ユニット２Ａ，２Ｂ，２Ｃが連結される。
【００３４】
図６（ｂ）は、図６（ａ）の一部拡大図である。図６（ｂ）に示すように、ボルトナット１５は、フランジ部が一端側に周設される筒状体であって内周に雌ねじが螺刻される埋込ナット１５ａと、雄ねじが外周に螺刻された軸状体の一端に皿状の頭部を有するボルト１５ｂとから構成される締結具である。このボルトナット１５によれば収納ユニット２Ａ，２Ｂ，２Ｃを相互に連結させる場合、埋込ナット１５ａは相互に連通する一対の連結孔１４，１４の一方に挿入されて、埋込ナット１５ａのフランジ部は連結孔１４の縁部に係合される。一方、一対の連結孔１４，１４の他方にはボルト１５ｂの軸部が挿入されて、かかる軸状体の雄ねじは埋込ナット１５ａの雌ねじに螺嵌され、ボルト１５ｂの頭部は連結孔１４の縁部に係合される。
【００３５】
図７は、上記のように連結された収納ユニット２Ａ，２Ｂ，２Ｃから構成される組立収納家具１の分解状態を示す正面図である。図７に示すように、組立収納家具１は、上述した収納ユニット２の他に、主幕板１６と、副幕板１７と、側部受材１８と、フィラー部材１９とを備えている。主幕板１６は横方向に長尺な正面視矩形状の化粧板であって、その縦方向の板幅が副幕板１７に比べて大きく形成されている。また、副幕板１７は、主幕板１６と横方向に略等しい長さの正面視矩形状の化粧板である。更に、フィラー部材１９は縦方向に長尺な正面視略矩形状の化粧板である。
【００３６】
そして、主幕板１６及び副幕板１７は組立収納家具１の天板３上面と据付場所の天井面ＣＦとの間に生じる幅Ｗ１の空隙を、フィラー部材１９は収納ユニット２Ｂの側板５と据付場所の壁面ＷＦとの間に生じる幅Ｗ２の空隙を、それぞれ掩覆する化粧板である。なお、図７では、収納ユニット２Ｂの側板５と壁面ＷＦとの間に生じる空隙を掩覆するためにフィラー部材１９を使用したが、かかるフィラー部材１９は、例えば、側板４又は背板６と壁面ＷＦとの間に空隙が生じる場合にも、かかる空隙を掩覆させるために使用できる。
【００３７】
組立収納家具１を据付場所に据え付ける場合、まず、収納ユニット２Ａ，２Ｂ，２Ｃの各アジャスタ１０が天井面ＣＦへ向けて突出され、その天井面ＣＦに円盤１０ａの上面が圧接されて、収納ユニット２Ａ，２Ｂ，２Ｃが据付場所に固定される。このアジャスタ１０が天井面ＣＦに圧接された状態では、収納ユニット２Ａ，２Ｂ，２Ｃの上部受材８の上端と天井面ＣＦとの間には幅Ｗ１より小さい幅Ｗ３の空隙が生じている（Ｗ１＞Ｗ３）。
【００３８】
ここで、主幕板１６は、その板幅が上記した幅Ｗ１の空隙より小さく且つ幅Ｗ３の空隙より大きく形成されるので、上部受材８と天井面ＣＦとの間に生じる幅Ｗ３の空隙を掩覆することができる。具体的には、主幕板１６の上端が天井面ＣＦに当接され且つ主幕板１６の下端が天板３の上面から僅かに幅Ｗ４だけ上方に離間した状態で、上部受材８の外面に重ね合わせられる。この状態で、釘打ち機から射出される図示しないピン又は釘が主幕板１６の外面からその主幕板１６を貫通させるようにして上部受材８に打ち込まれると、この主幕板１６は上部受材８の外面に着接されて、幅Ｗ３の空隙が掩覆される。
【００３９】
そして、主幕板１６が上部受材８に着接されると、主幕板１６の下端と各天板３上面との間には幅Ｗ４の空隙が生じて上部受材８が露出される。この上部受材８を露出させる空隙は副幕板１７によって掩覆される。ここで、副幕板１７は、その板幅が上記した幅Ｗ４より大きく、上部受材８の天板３上面からの突出長さより小さく、及び、主幕板１６の板幅より小さく形成される。
【００４０】
よって、副幕板１７の下端が天板３の上面に当接されると、この副幕板１７の上端部分が主幕板１６の下端部分の外面に重なり合わさった状態で、副幕板１７は、上部受材８が露出される幅Ｗ４の空隙を掩覆する。この状態で、釘打ち機から射出される図示しないピン又は釘が主幕板１６と副幕板１７との重畳部分に副幕板１７の外面側からその幕板１６，１７を貫通させるようにして上部受材８に打ち込まれると、この副幕板１７は主幕板１６の外面に着接される。
【００４１】
図８は、据え付け完成状態における組立収納家具１の正面図であり、図９は、図８のＩＸ−ＩＸ線における縦断面図である。図８に示すように、上記のようにして主幕板１６は、左右に連結された収納ユニット２Ａ，２Ｂの天板３，３の前面側から立設される上部受材８，８の外面にそれぞれ跨った状態で着接される。そして、副幕板１７は、左右に連結された収納ユニット２Ａ，２Ｂの天板３，３の上面と主幕板１６の下端との間からの露出部分をまとめて掩覆するように主幕板１６の外面に着接される。
【００４２】
また、収納ユニット２Ａの天板３の左側から立設される上部受材８の外面にも主幕板１６が着接され且つ主幕板１６の外面に副幕板１７が着接されている。更に、図９に示すように、収納ユニット２Ｃの天板３前面側から立設される上部受材８の外面にも主幕板１６が着接され且つ主幕板１６の外面に副幕板１７が着接されている。これによって、収納ユニット２Ａ，２Ｂ，２Ｃにおける天板３，３，３の上面と天井面ＣＦとの間に生じる幅Ｗ１の空隙が掩覆されるので、もともと可搬式の収納ユニット２Ａ，２Ｂ，２Ｃであっても建物に既設される収納家具のように据付場所の天井面ＣＦと一体化されたような外観を装うことができる。
【００４３】
ところで、天井面ＣＦを形成する天井材は野縁（図示せず）に取着されており、この野縁は釣木などの吊下げ部材（図示せず）を介して建物内に吊下げられているので、天井面ＣＦは、完全な水平面とはならずに僅かに波打ったような凹凸面状となってしまう。このため、天井面ＣＦに主幕板１６の上端が当接される場合には、ごく僅かな空隙（例えば略１ｍｍ以下の空隙）が天井面ＣＦと主幕板１６との間に部分的に生じてしまうことがある。このようなごく僅かな空隙は、決して主幕板１６と天井面ＣＦとの間の顕著な隙間として視覚されるものではないものの、かかる空隙によって主幕板１６が天井面ＣＦの凹凸に沿って波打つように見えてしまう。
【００４４】
ところが、本実施例では、主幕板１６の前面には横方向に細長い副幕板１７が当着されているので、かかる副幕板１７の外観によって、波打って見える主幕板１６の外観であっても視覚的に副幕板１７に沿って水平に延設されるような外観となるように補正することができる。このため、波打って見える主幕板１６の外観を修正するため、主幕板１６の上端を天井面ＣＦの凹凸に適合するように加工する必要もない。
【００４５】
図７に戻って説明する。収納ユニット２Ｂの側板５における外面には、側部受材１８が取着されている。この側部受材１８は、フィラー部材１９を収納ユニット２の側板４、側板５、又は背板６に取り付けるための部材であって、図７では収納ユニット２Ｂの側板５の外面に取着されている。側部受材１８はもともと収納ユニット２とは別体に形成される角材であり、側部受材１８にはその幅方向に貫通する挿着孔１８ａが３箇所に形成されている。
【００４６】
この３箇所の挿着孔１８ａは、ボルトナット１５を挿着させるための貫通孔であって、側板４、側板５又は背板６に上下略一列状に並んだ３箇所一組の穿設用凹部１１に対応つけて側部受材１８の上側、中間、及び下側の順に形成されている。また、収納ユニット２Ｂの側板５前面側端部（図７手前側）の上中下３箇所に凹設される穿設用凹部１１には貫通加工が施されており、収納ユニット２Ｂの側板５には上中下３箇所に連結孔１４が穿設されている。
【００４７】
この各連結孔１４は、側部受材１８における挿着孔１８ａと１個ずつ連通されており、互いに連通する連結孔１４及び挿着孔１８ａにはそれぞれボルトナット１５が挿着されて、側部受材１８が収納ユニット２Ｂの側板５に着脱可能に取着されている。このように取着された側部受材１８は、収納ユニット２Ｂの側板５の外面から壁面ＷＦ側（図７右側）へ向けて突出され、更に、収納ユニット２Ｂの下端から天板３の上面にまでかけて上下方向に連設された状態となる。なお、ボルトナット１５の挿着状態については、後述する図１０に示す具体的構成が図示されており、その説明については上記した図６（ｂ）についての説明と同様であるので省略する。
【００４８】
側部受材１８は、組立収納家具１のうち据付場所の壁面ＷＦと対向する収納ユニット２Ａ，２Ｂ，２Ｃの側面又は背面に取着されるものであって、図７では壁面ＷＦと対向する収納ユニット２Ｂの側板５に取着される。そして、収納ユニット２Ａ，２Ｂ，２Ｃは、据付場所に据え付けられる場合に、側部受材１８と壁面ＷＦとの間に幅Ｗ１１の空隙ができるように設置され、かかる空隙がフィラー部材１９によって掩覆される。
【００４９】
フィラー部材１９は、天井面ＣＦから床面ＦＦまで達する長尺状の化粧板であって、その板幅が幅Ｗ２より若干小さく形成されている。このフィラー部材１９には、壁面ＷＦ下端に添設される巾木Ｚに合致するように切欠される切欠部１９ａを除いて、フィラー部材１９の一方の長辺全体にパッキン部材２０が取着されている。このパッキン部材２０は、弾性変形可能な合成樹脂で形成されており、フィラー部材１９が側部受材１８に取着される場合にフィラー部材１９と壁面ＷＦとの間に介在して壁面ＷＦの損傷を防止する機能を有している。
【００５０】
図１０は、図８のＸ−Ｘ線における部分的な横断面図である。図１０に示すように、フィラー部材１９を収納ユニット２Ｂに取着する場合、そのフィラー部材１９の左端が収納ユニット２Ｂにおける側板５の外面に当接され、パッキン部材２０が壁面ＷＦに当接され、フィラー部材１９が壁面ＷＦへ向けて延設されるようにして、かかるフィラー部材１９が側部受材１８の前面に重ね合わせられる。
【００５１】
この状態で、釘打ち機から射出される図示しないピン又は釘がフィラー部材１９を貫通して側部受材１８に打ち込まれると、このフィラー部材１９は側部受材１８の外面に着接されて、幅Ｗ１１の空隙がフィラー部材１９によって掩覆される。ここで、パッキン部材２０は弾性変形された状態で壁面ＷＦに当接されるので、この弾性変形に伴うパッキン部材２０の弾性復元力によってへ壁面ＷＦにパッキン部材２０が密着させられる。この密着によって、壁面ＷＦとフィラー部材１９との接触面間に僅かな隙間が生じることも回避されるのである。
【００５２】
以上、実施例に基づき本発明を説明したが、本発明は上記実施例に何ら限定されるものではなく、本発明の趣旨を逸脱しない範囲内で種々の改良変形が可能であることは容易に推察できるものである。
【００５３】
例えば、本実施例では、図６（ａ）に示すように、収納ユニット２Ａの側板５と収納ユニット２Ｂの側板４とを密接させてボルトナット１５で連結すると共に、収納ユニット２Ａ，２Ｂの背板６，６と収納ユニット２Ｃの背板６とを密接させてボルトナット１５で連結することによって、収納ユニット２Ａ，２Ｂ，２Ｃを連結した。しかしながら、これら収納ユニット２Ａ，２Ｂ，２Ｃの連結パターンは必ずしもこれに限定されるものではなく、必要に応じて好みのレイアウトに変更することができる。
【００５４】
また、例えば、本実施例では、パッキン部材２０が当接される壁面ＷＦの上端部は、当該壁面ＷＦと天井面ＣＦと接合部分が略直角状に交差するものであった（図７及び図８参照）。しかしながら、パッキン部材２０が当接される壁面ＷＦの上端部と天井面ＣＦとの接合部分の形状は、必ずしもこれに限定されるものではなく、例えば、図１０（ｂ）に示すように、壁面ＷＦの上端部に目透かしが形成されていても良い。
【００５５】
具体的には、壁面ＷＦの上端部に目透かしが設けられる場合、当該壁面ＷＦの上端部には断面視略コ字形の凹部ＣＣが形成されることとなる。そこで、かかる場合には、パッキン部材２０における凹部ＣＣの下縁に対応する部分（図１０（ｂ）中の矢印Ｐの箇所）に水平な切れ目を入れることによって、パッキン部材２０の上端部２０ａを、壁面ＷＦの凹部ＣＣに嵌合させれば、かかる目透かしによる凹部ＣＣすらも隙間なく閉塞させることができるのである。
【図面の簡単な説明】
【００５６】
【図１】本発明の一実施例である組立収納家具を構成する２つの収納ユニットの外観斜視図である。
【図２】収納ユニットの正面図であって、収納ユニットの側板における穿設用凹部の凹設箇所のみを部分的に断面視した図である。
【図３】図２のＩＩＩ−ＩＩＩ線における断面図であって、収納ユニットの前面に扉板が取着された状態を示した図である。
【図４】（ａ）は、図２のＩＶ１−ＩＶ１線、ＩＶ２−ＩＶ２線およびＩＶ３−ＩＶ３線における横断面のいずれにも対応する断面図であり、（ｂ）及び（ｃ）は、連結孔を穿設するための貫通加工について説明する図である。
【図５】連結孔が穿設された３種類の収納ユニットを並べた状態を示す横断面図である。
【図６】（ａ）は、３種類の収納ユニットを連結させた状態を示す横断面図であり、（ｂ）は、（ａ）の一部拡大図である。
【図７】組立収納家具の分解状態を示す正面図である。
【図８】据え付け完成状態における組立収納家具１の正面図である。
【図９】図８のＩＸ−ＩＸ線における縦断面図である。
【図１０】図８のＸ−Ｘ線における部分的な横断面図である。
【符号の説明】
【００５７】
１                      組立収納家具（可搬式収納家具）
２，２Ａ，２Ｂ，２Ｃ    収納ユニット
３                      天板
４，５                  側板
６                      背板
７                      地板
８                      上部受材
９                      枠状体
１０                    アジャスタ
１１                    穿設用凹部
１２                    扉板
１３                    埋込ナット
１４                    連結孔
１５                    ボルトナット（締結具）
１６                    主幕板
１７                    副幕板
１８                    側部受材
１９                    フィラー部材
２０                    パッキン部材
ＣＦ                    天井面
ＷＦ                    壁面
【図１】
2006167365.tif 000003
【図２】
2006167365.tif 000004
【図３】
2006167365.tif 000005
【図４】
2006167365.tif 000006
【図５】
2006167365.tif 000007
【図６】
2006167365.tif 000008
【図７】
2006167365.tif 000009
【図８】
2006167365.tif 000010
【図９】
2006167365.tif 000011
【図１０】
2006167365.tif 000012